(57)【要約】【課題】集めた塵埃を散乱させることなく容易に且つ衛生的に廃棄することができる電気掃除機を提供する【解決手段】空気の流れの下流側が開口された集塵カップ２１と、集塵カップ２１の開口を開閉できる蓋状部材２２と、蓋状部材２２から突出可能に支持され、使い捨てフィルター２４を取り付けることができるかご状の集塵バケット２３とを備え、集塵バケット２３が、隣り合う枠状部材２３１、２３２が接触して蓋状部材２２の内部に収納され、隣り合う枠状部材２３１、２３２で使い捨てフィルター２４を挟む。【選択図】図５
2010082220.tif 000002
【特許請求の範囲】
【請求項１】
内部に空気を吸引する電動送風機が備えられているとともに、前記電動送風機に吸引された空気に含まれる塵埃を除去、蓄積する集塵容器が着脱可能に配置されている電気掃除機であって、
前記集塵容器は、空気の流れの上流側に内部に空気が流入する流入部を有し、空気の流れの下流側が開口された集塵カップと、
空気が通過することができ、前記集塵カップの開口を開閉できるように前記集塵カップと回動可能に連結された蓋状部材と、
前記蓋状部材に支持され、使い捨てフィルターを取り付けることができる集塵バケットとを備えており、
前記集塵バケットは、ヒンジで連結された複数の枠状部材を備えており、
前記集塵バケットは、前記集塵カップと前記蓋状部材とが閉じられるときに、前記枠状部材が隣り合う枠状部材に対して前記ヒンジ周りに回動し、前記隣り合う枠状部材と接触するように前記蓋状部材に支持されていることを特徴とする電気掃除機。
【請求項２】
前記複数の枠状部材は、隣り合う枠状部材と接触するときに、前記使い捨てフィルターを挟むように形成されている請求項１に記載の電気掃除機。
【請求項３】
前記隣り合う枠状部材の前記使い捨てフィルターを挟む部分には、前記使い捨てフィルターを挟むときに前記使い捨てフィルターの一部を押し出して、紙留めを行うボスと、前記ボスが係合されるボス穴が形成されている請求項２に記載の電気掃除機。
【請求項４】
前記集塵バケットは前記集塵カップと前記蓋状部材とが開かれた状態のとき前記集塵カップ側に配置され、バケットヒンジを介して前記蓋状部材に連結された第１枠状部材と、
前記第１枠状部材の前記蓋状部材と連結されているのと反対側と枠体ヒンジを介して連結された第２枠状部材とを有し、
前記第１枠状部材を外側に押す弾性部材が備えられており、
前記紙留め用のボスが前記第１枠状部材の前記第２枠状部材と接触する面に形成されており、
前記ボス穴が前記第２枠状部材の前記第１枠状部材と接触する面に形成されている請求項３に記載の電気掃除機。
【請求項５】
前記集塵カップの内側には前記第１枠状部材及び前記第２枠状部材の少なくとも一方を前記使い捨てフィルターとともに押し、前記集塵バケットを押す押込み部が備えられている請求項１から請求項４のいずれかに記載の電気掃除機。
【請求項６】
前記集塵バケットは、前記集塵カップと前記蓋状部材とが閉じられるとき、俵形状に形成したことを特徴とする請求項１に記載の電気掃除機。
【請求項７】
前記集塵バケットは、前記流入部との間で前記使い捨てフィルターを保持する固定用リングを設けたことを特徴とする請求項６に記載の電気掃除機。
【発明の詳細な説明】
【技術分野】
【０００１】
本発明は集塵部にフィルターを備えた電気掃除機に関する。
【背景技術】
【０００２】
従来の電気掃除機には、空気を吸引するための電動送風機が内蔵されているとともに、集塵容器が着脱自在に内挿されている。前記電動送風機が駆動されることで空気が前記電気掃除機内に吸引され、吸引された空気が集塵容器を通過する。前記集塵容器には前記吸引された空気に含まれる塵埃を分離するための集塵フィルターが備えられており、前記吸引された空気は前記集塵フィルターを通過するときに塵埃が取り除かれ、塵埃は前記集塵容器に蓄積され、空気のみが電気掃除機の外部に排出される。
【０００３】
前記電気掃除機では、前記集塵容器に塵埃が所定量以上蓄積されたとき、或いは、定期的に、前記集塵容器に蓄積された塵埃を廃棄する。従来の電気掃除機では、前記集塵容器を開き内部に蓄積された塵埃を外部に排出することで、塵埃に触れることなく塵埃を捨てることができるようになっている。
【０００４】
前記集塵容器に塵埃が蓄積されると前記集塵フィルターが詰まり、前記電動送風機の吸引効率が低下し、電気掃除機の集塵能力が低下する。そこで、前記集塵フィルターの津ありを取り除くために、前記集塵フィルターをブラシでこすったり、直接水洗いしたりする方法がとられている。しかしながら、上述のような方法で前記集塵フィルターの目詰まりを取り除くのは、非常に手間がかかる。また、前記ブラシでこする場合、塵埃を飛散させてしまうことが多く、衛生上よくない。さらに、水洗いをする場合、塵埃を洗浄水とともに流してしまうので、流された塵埃が配管のつまりの原因になってしまうこともある。
【０００５】
そこで、特開２００５−３１８９１５号公報では、前記集塵容器が、前記集塵フィルターの上流側に使い捨てのフィルターを取り付けることができる構造を有している電気掃除機が提案されている。前記集塵容器を通過する空気がまず前記使い捨てのフィルターを通過し、前記使い捨てフィルターによって空気から塵埃が取り除かれ前記使い捨てフィルターに堆積する。前記使い捨てフィルターは塵埃と一緒に廃棄するので、手間を省くことができるとともに、衛生上も都合がよい。また、前記集塵フィルターには前記使い捨てフィルターを通過した微細な塵埃のみが到達するので、前記集塵フィルターのつまりが発生しにくく、それだけ、メンテナンスの手間が省ける。
【０００６】
特開２００５−３１８９１５号公報に示す電気掃除機では、前記使い捨てフィルターは平面状態で前記集塵容器の中に配置されている。前記集塵容器内において、塵埃は前記使い捨てフィルターに付着しており、前記集塵容器を開き、塵埃を捨てるときに、前記使い捨てフィルターに付着した塵埃が散乱してしまう場合がある。
【０００７】
そこで、特開２００７−２４４５３８号公報に記載の電気掃除機では、塵埃を排出するときに集塵ケース内部に配置されたかご状の塵埃収容器が前記集塵ケースの開口部より突出する構造を有している。そして、この塵埃収容器の凹部に使い捨ての集塵濾紙が配置されている。前記集塵ケースに流入した塵埃は空気の流れで使い捨ての集塵濾紙が配置された塵埃収容器の奥に押し込められ、塊になって堆積されていく。
【０００８】
そして、前記電気掃除機には、前記集塵ケースに開閉可能な前蓋が備えられており、前記前蓋を開くことで、塵埃収容器がばね等の押し出し機構にて開口部より外部に押し出され、塵埃収容器内の塵埃が廃棄される。また、前記前蓋を閉めるときに、前記塵埃収容器は前記前蓋から押されて集塵ケースの内部に押し込む。このように、内部の塵埃収容器が集塵ケースより飛び出すことで、前記集塵ケース内部に堆積された塵埃を前記使い捨ての集塵濾紙とともに容易に廃棄することができる。
【特許文献１】特開２００５−３１８９１５号公報
【特許文献２】特開２００７−２４４５３８号公報
【発明の開示】
【発明が解決しようとする課題】
【０００９】
特開２００７−２４４５３８号公報に記載の発明の場合、前記前蓋を閉じるときに、前記前蓋の内側で前記塵埃収容器を押し込むことで、前記塵埃収容器が前記集塵ケース内部に押し込まれるものである。前記使い捨ての集塵濾紙を前記集塵ケースに取り付ける場合、前記使い捨ての集塵濾紙が取り付けられた状態で前記塵埃収容器を動かさなくてはならず前記使い捨ての集塵濾紙が前記塵埃収容器からずれてしまったり、浮いてしまったりする場合がある。前記使い捨ての集塵濾紙が前記塵埃収容器からずれたり、浮いたりしていると、吸い込まれた塵埃が前記使い捨ての集塵濾紙をすり抜けて、集塵フィルターに到達してしまうので、前記集塵フィルターが詰まりやすくなる。
【００１０】
そこで本発明は、集めた塵埃を散乱させることなく容易に且つ衛生的に廃棄することができる電気掃除機を提供することを目的とする。
【課題を解決するための手段】
【００１１】
上記目的を達成するために本発明は、内部に空気を吸引する電動送風機が備えられているとともに、前記電動送風機に吸引された空気に含まれる塵埃を除去、蓄積する集塵容器が着脱可能に配置されている電気掃除機であって、前記集塵容器は、空気の流れの上流側に内部に空気が流入する流入部を有し、空気の流れの下流側が開口された集塵カップと、空気が通過することができ、前記集塵カップの開口を開閉できるように前記集塵カップと回動可能に連結された蓋状部材と、前記蓋状部材に支持され、使い捨てフィルターを取り付けることができる集塵バケットとを備えており、前記集塵バケットは、ヒンジで連結された複数の枠状部材を備えており、前記集塵バケットは、前記集塵カップと前記蓋状部材とが閉じられるときに、前記枠状部材が隣り合う枠状部材に対して前記ヒンジ周りに回動し、前記隣り合う枠状部材と接触するように前記蓋状部材に支持されている。
【００１２】
この構成によると、前記集塵バケットは、使い捨てフィルターを捨てるときに、前記複数の枠状部材が開いた状態になるので、前記使い捨てフィルターの廃棄を簡単且つ衛生的に行うことができる。
【００１３】
上記構成において、前記複数の枠状部材は、隣り合う枠状部材と接触するときに、前記使い捨てフィルターを挟むように形成されていてもよい。この構成によると、前記枠状部材が接触するときに隣り合う枠状部材で前記使い捨てフィルターを挟むので、前記使い捨てフィルターが前記集塵バケットより浮き上がったりずれたりするのを抑制することができる。
【００１４】
これにより、集塵部に吸入されてきた空気が前記使い捨てフィルターを通過せずに流れてしまうのを抑制することができる。前記使い捨てフィルターが前記集塵バケットの形状に合わせて折り曲げられ、折り曲げられた内部に塵埃が堆積されるので、前記集塵カップと前記蓋状部材とを開いたときに、塵埃が散らばりにくい。
【００１５】
上記構成において、前記隣り合う枠体の互いに他の部材と接触する面の少なくとも一方の面より突出された紙留め用のボスが形成されており、前記紙留め用のボスが形成されているのと対向する面には前記紙留め用のボスが挿入されるボス穴が形成されていてもよい。
【００１６】
この構成によると、前記使い捨てフィルターが前記集塵バケットから取り外されても、前記使い捨てフィルターは前記集塵バケットの形状を維持するので、廃棄時に前記使い捨てフィルターに蓄積された塵埃がばらけ、飛散するのを抑制することができる。
【００１７】
上記構成において、前記集塵バケットは前記集塵カップと前記蓋状部材とが開かれた状態のとき前記集塵カップ側に配置され、バケットヒンジを介して前記蓋状部材に連結された第１枠状部材と、前記第１枠状部材の前記蓋状部材と連結されているのと反対側と枠体ヒンジを介して連結された第２枠状部材とを有し、前記第１枠状部材を外側に押す弾性部材が備えられており、前記紙留め用のボスが前記第１枠状部材の前記第２枠状部材と接触する面に形成されており、前記ボス穴が前記第２枠状部材の前記第１枠状部材と接触する面に形成されていてもよい。
【００１８】
上記構成において、前記集塵カップの内側に、前記第１枠状部材及び前記第２枠状部材の少なくとも一方を前記使い捨てフィルターとともに押し、前記集塵バケットを前記蓋状部材の内部に収納させる押込み部が備えられていてもよい。
【発明の効果】
【００１９】
本発明によると、集めた塵埃を散乱させることなく容易に且つ衛生的に廃棄することができる電気掃除機を提供することができる。
【発明を実施するための最良の形態】
【００２０】
本発明の最良の実施形態について図面を参照して説明する。図１は本発明にかかる電気掃除機の断面図であり、図２は図１に示す電気掃除機のカバーを開いた状態の斜視図である。電気掃除機Ａは、内部に空気を吸引する電動送風機１と、電気掃除機Ａの内部に着脱自在に配置され、電動送風機１の駆動により吸引された空気に含まれている塵埃を分離するとともに内部に蓄積する集塵容器２と、図示を省略したホースが着脱され、外部の空気が流入する流入部３とを備えている。
【００２１】
図２に示すように、電気掃除機Ａの上面部には開閉可能な構造のカバーＣｖが形成されている。カバーＣｖを開いて、集塵容器２を電気掃除機Ａの内部に着脱させることができる。次に、本発明にかかる電気掃除機の要部である集塵容器の詳細について図面を参照して説明する。
（第１実施形態）
図３は本発明にかかる電気掃除機に用いられる集塵容器の斜視図であり、図４は図３に示す集塵容器の正面図であり、図５は図３に示す集塵容器を開いた状態の斜視図であり、図６は図３に示す集塵容器を開いた状態の断面図である。集塵容器２は、吸入された空気に含まれている塵埃が蓄積される集塵カップ２１と、集塵カップ２１とヒンジ２０で連結された蓋状部材２２と、蓋状部材２２に支持され、使い捨てフィルター２４を保持することができる集塵バケット２３とを有している。
【００２２】
集塵カップ２１は、内部に塵埃を蓄積する空間を有するカップ状の部材である。集塵カップ２１は、集塵容器２が電気掃除機Ａに取り付けられたときに、流入部３と連結され流入部３より流入した空気が吸入される吸入部２１０と、集塵容器２を電気掃除機Ａに着脱するときに握られる把持部２１１と、蓋状部材２２と対向する部分に集塵バケット２３に向かって突出され、集塵バケット２３を押える押え部２１２とを備えている。
【００２３】
蓋状部材２２は空気が通過することができる枠状の部材であり、集塵フィルター２２０が保持されたフィルター保持部２２１と、フィルター保持部２２１の上流側と連結され、集塵バケット２３が支持されたバケット保持部２２２とを備えている。吸入部２１０より吸入された空気は、バケット保持部２２２及びフィルター保持部２２１を通過して排出される。また、フィルター保持部２２１には、プリーツ状に折りたたまれた集塵フィルター２２０が収納されている。
【００２４】
集塵カップ２１の把持部２１１には先端がかぎ状に形成されたフック部２１３と、フック部２１３を摺動させる押しボタン２１４とが備えられている。また、蓋状部材２２は集塵カップ２１を閉じたときに、フック部２１３が係合される係合孔を有する係合部２２４を備えている。集塵カップ２１と蓋状部材２２とをヒンジ２０を中心に閉じたときに、フック部２１３の先端のかぎ状の部分が係合部２２４の係合孔に挿入され、かぎ状の部分が係合孔の辺縁部と係合されることで、集塵カップ２１と蓋状部材２２とが閉じられ、ロックされる。また、押しボタン２１４を押すことで、フック部２１３と係合部２２４とのロックがはずれ、集塵カップ２１と蓋状部材２２とが開かれる。
【００２５】
集塵バケット２３は、集塵カップ２１側に開口し、底面部と側壁部とを備えた凹形状の枠状部材である。集塵バケット２３は第１枠状部材２３１と、第２枠状部材２３２とが連結されて形成されている。第１枠状部材２３１は集塵バケット２３の底面部の一部を形成する矩形状の底部２３１１と、底部２３１１の対向する辺より一体的に突出され、集塵バケット２３の側壁部の一部を形成する側部２３１２とを有している。第２枠状部材２３２も同様に、底部２３２１と側部２３２２とを備えている。
【００２６】
第１枠状部材２３１は底部２３１１の側部２３１２が形成されていない辺のうち一方の辺の近傍を、バケットヒンジ２３０を介してバケット保持部２２２に回動自在に支持されている。また、底部２３１１のバケットヒンジ２３０で支持されていない側の辺の近傍は、枠体ヒンジ２３３を介して、第２枠状部材２３２の底部２３２１と連結されている。なお、バケットヒンジ２３０は、バケット保持部２２２のヒンジ２０と近接した場所に支持されている。
【００２７】
また、集塵バケット２３は、バケットヒンジ２３０に取り付けられ、第１枠状部材２３１の底部２３１１をバケット保持部２２２から遠ざかる方向に付勢する弾性部材であるワイヤーばね２３４とを備えている。さらに、集塵バケット２３は、バケットヒンジ２３０より突出した摺動ボス２３５を備えており、摺動ボス２３４はバケット保持部２２２の側壁部の内側に形成された湾曲した凹溝２２３の内部に摺動自在に配置されている。なお、凹溝２２３には、第１枠状部材２３１がワイヤーばね２３４にて押される方向の端部に摺動を制限するように終端部が形成されている。
【００２８】
図示を省略しているが第１枠状部材２３１及び第２枠状部材２３２の枠状の部分には使い捨てフィルター２４を装着しない場合でも、塵埃を堆積できるように、樹脂メッシュのフィルター部材が固定されている。このフィルター部材は樹脂メッシュに限定されるものではなく、集塵バケット２３が使い捨てフィルター２４を保持していない場合でも、集塵バケット２３を通過する空気から塵埃を分離することができるものを広く採用することができる。
【００２９】
集塵カップ２１と蓋状部材２２とが閉じられているとき集塵バケット２３は、第１枠状部材２３１の側部２３１２と第２枠状部材２３２の側部２３２２とがつき合わせられてバケット保持部２２２の内部に収納されている。そして、側部２３１２の側部２３２２との当接面には、ボス２３１３が形成されており、側部２３２２の側部２３１２との当接面には、ボス２３１３が挿入されるボス穴２３２３が形成されている。
【００３０】
また、集塵バケット２３は、集塵カップ２１と蓋状部材２２とが開かれているときは、ワイヤーばね２３４の弾性力により第１枠状部材２３１が押され、第１枠状部材２３１及び第２枠状部材２３２はバケット保持部２２２の外部に押し出されている。このとき、摺動ボス２３５が凹溝２２３の終端部と接触して、第１枠状部材２３１及び第２枠状部材２３２がバケット保持部２２２から過剰に押し出されるのを抑制している。なお、摺動ボス２３５が凹溝２２３の終端部と接触したときに、第１枠状部材２３１の底部２３１１と第２枠状部材２３２の底部２３２１とが同一平面をなすことが好ましい。
【００３１】
集塵容器２は内部に使い捨てフィルター２４を配置し、多くの塵埃を使い捨てフィルター２４で分離して、集塵容器２の内部に蓄積させることができる。使い捨てフィルター２４は塵埃をすてるときに一緒に廃棄される。使い捨てフィルター２４として、ティッシュペーパ、フローリング拭き用紙シートなど、空気が通過するときにその空気に含まれた塵埃の通過を妨げることができるシート状のものを広く採用することができる。ここでは、ティッシュペーパが用いられている。
【００３２】
次に集塵容器の内部に使い捨てフィルターを取り付ける手順について、図面を参照して説明する。図７は図３に示す集塵部の集塵バケットの上部に使い捨てフィルターを載せた状態の斜視図であり、図８は集塵カップを閉じかけた状態の集塵部の断面図であり、図９は集塵カップをさらに閉じた状態の集塵部の断面図であり、図１０は図９に示す集塵部の斜視図である。
【００３３】
集塵容器２の内部に使い捨てフィルター２４を取り付ける場合、集塵容器２を蓋状部材２２が下になるように水平面上に配置し、集塵カップ２１を開く。集塵カップ２１を開くことで、集塵バケット２３の第１枠状部材２３１がワイヤーばね２３４に押されてバケット保持部２２２の上部に押し上げられ、それに伴い、第２枠状部材２３２もバケット保持部２２２の上部に押し上げられる（図６参照）。
【００３４】
集塵バケット２３がバケット保持部２２２の上部に押し上げられている状態で、第１枠状部材２３１及び第２枠状部材２３２の上部に、第１枠状部材２３１及び第２枠状部材２３２を覆うように使い捨てフィルター２４を配置する（図６、図７参照）。集塵バケット２３の上部に使い捨てフィルター２４を配置した状態で、集塵カップ２１がヒンジ２０を中心に回動される。このとき、集塵カップ２１の内面に形成された押え部２１２が使い捨てフィルター２４を押し、使い捨てフィルター２４が集塵バケット２３の底面部及び側壁部の内側に押し込まれる（図８参照）。
【００３５】
集塵カップ２１が閉じる方向に、さらに回動されると、押え部２１２が第１枠状部材２３１に接触し、第１枠状部材２３１が押され、第１枠状部材２３１はバケットヒンジ２３０を中心に回動される。このとき、摺動ボス２３４が凹溝２２３に沿って摺動されるので、第１枠状部材２３１はバケットヒンジ２３０を中心として精度良く回動される。そして、第２枠状部材２３２は枠体ヒンジ２３３に引っ張られてバケット保持部２２２内に引き込まれる。このとき、使い捨てフィルター２４の集塵バケット２３の側壁部よりはみ出した部分が二つ折り状態で第１枠状部材２３１の側部２３１２及び第２枠状部材２３２の側部２３２２に挟まれる（図９、１０参照）。
【００３６】
また、集塵カップ２１を閉じるときに、使い捨てフィルター２４の集塵バケット２３よりはみ出した部分は、二つ折りの状態で折り曲げられるとともに、ボス２３１３がボス穴２３２３に挿入されるときに破られる。このとき、破られた使い捨てフィルター２４は完全に打ち抜かれた孔が形成されず、一部が破れるとともにボス２３１３の形状に沿った変形がなされる。このように、使い捨てフィルター２４の折り曲げ部にボス２３１３を通して挟持することで、使い捨てフィルター２４に力が作用しても折り曲げ部が側部２３１２と側部２３２３の突合せ部から抜けにくくなる。これにより、使い捨てフィルター２４が集塵バケット２３の内部から浮いたり、ずれたりすることを抑制し、空気に含まれた塵埃のほとんどすべてが使い捨てフィルター２４を通過するので、集塵フィルター２２０に塵埃が流入しにくく、集塵フィルター２２０の目詰まりが発生するのを抑制することができる。
【００３７】
次に、集塵容器２に堆積された塵埃を廃棄する手順を図面を参照して説明する。図１１は集塵容器に配置された使い捨てフィルターと塵埃を廃棄するときの斜視図である。電気掃除機Ａに装着されていた集塵容器２を把持部２１１を持って引き出す。このとき把持部２１１が上部に配置され、ヒンジ２０が下部に配置されている。この状態で把持部２１１に備えられている押しボタン２１４を押すと、フック部２１３と係合部２２４とのロックがはずれ、蓋状部材２２がヒンジ２０を中心に下方に回動される。
【００３８】
このとき、集塵バケット２３の第１枠状部材２３１がワイヤーばね２３４に押され、第１枠状部材２３１の側部２３１２と第２枠状部材２３２の側部２３２２とが離れ、ボス２３１３がボス穴２３２３から抜ける。使い捨てフィルター２４の側部は折り曲げられている部分が、ボス２３１３とボス穴２３２３とによって破られるとともに、押し出されて留められているので、使い捨てフィルター２４は集塵バケット２３の内面に沿った形状を維持する。
【００３９】
第１枠状部材２３１ワイヤーばね２３４に押されるときに、摺動ボス２３５が凹溝２２３に沿って摺動し、摺動ボス２３５が凹溝２２３の終端部と接触することで、第１枠状部材２３１及び第２枠状部材２３２は強制的に移動を停止させられる。そして、使い捨てフィルター２４及び使い捨てフィルター２４に堆積した塵埃に衝撃が加わり、集塵バケット２３より落下する。集塵容器２が開いても使い捨てフィルター２４の側部が接合された状態を維持するので、内部の塵埃が散らばりにくい。
【００４０】
ここで、第１枠状部材２３１の側部２３１１にボス２３１３が、第２枠状部材２３２にボス穴２３２３が形成されているものを例示しているがそれに限定されるものではなく、ボスとボス穴が反対の部材に形成されているものや、それぞれの枠体にボス及びボス穴が複数個ずつ形成されているものであってもよい。しかしながら、ボス２３１３及びボス穴２３２３の嵌合で孔あけされて接合された使い捨てフィルター２４を、第２枠状部材２３２側に摺動して廃棄するので、使い捨てフィルター２４の摺動の妨げとならないようにボスは使い捨てフィルター２４が摺動するときの上側、すなわち第１枠状部材２３１側に形成されていることが好ましい。
（第２実施形態）
本発明にかかる電気掃除機に用いられる集塵容器の他の例について図面を参照して説明する。図１２は本発明にかかる電気掃除機に用いられる集塵容器の他の例の開いた状態の斜視図であり、図１３は図１２に示す集塵容器に使い捨てフィルターを載せた状態の斜視図であり、図１４は図１３に示す集塵容器の使い捨てフィルターをずれないように固定した斜視図であり、図１５は図１４に示す集塵容器の断面図であり、図１６は集塵カップを途中まで閉じたときの集塵容器の断面図であり、図１７は集塵カップを完全に閉じた状態の集塵容器の断面図であり、図１８は塵埃を廃棄するために開いた状態の集塵容器の断面図である。なお、集塵容器２ｂは集塵集塵バケット４が異なる以外は図５に示す集塵容器２と同じ構造を有するものであり、実質上同じ部分には同じ符号が付してある。
【００４１】
図１７に示すように、集塵バケット４は両端部が閉じられた俵形状の枠体であり、集塵カップ２１の吸入部２１０と連結された流入部４０と、俵形状を１／３ずつ周方向に分割した形状である第１枠状部材４１と、第２枠状部材４２と、第３枠状部材４３とを備えている。図１２及び図１５に示すように、第１枠状部材４１は流入部４０の半分が形成されており、バケットヒンジ４１１を介して集塵カップ２１に回動可能に支持されている。
【００４２】
第２枠状部材４２は流入部４０の残り半分が形成されており、バケット保持部２２２に形成された支持部２２６にリンク部４４を介して回動可能に支持されている。リンク部４４はリンク本体４４０と、リンク本体４４０の一方の端部を貫通するともに、リンク本体４４０を支持部２２５に回動自在に連結させる第１回転軸４４１と、リンク本体４４０の他方の端部を貫通し、リンク本体４４０を第２枠状部材４２に回動自在に連結させる第２回転軸４４２とを備えている。
【００４３】
第３枠状部材４３は、第１枠状部材４１と第２枠状部材４２との間に配置されるものである。第１枠状部材４１と第３枠状部材４３は第１枠状部材ヒンジ４５を介して連結されている。第１枠状部材ヒンジ４５は第１枠状部材４１と第３枠状部材４３のそれぞれに軸支されているものである。第１枠状部材４１及び第３枠状部材４３とが俵形状から開く方向に回動し、第１枠状部材４１と第３枠状部材４３とのなす角度が所定の角度となったときに、互いに接触する部分を備えており、それ以上開かないように形成されている。
【００４４】
また、第３枠状部材４３と第２枠状部材４２とは第２枠状部材ヒンジ４６を介して連結されている。第２枠状部材ヒンジ４６は第３枠状部材４３と第２枠状部材４２のそれぞれに軸支されているものである。第３枠状部材４３及び第２枠状部材４２とが俵形状から開く方向に回動し、第３枠状部材４３と第２枠状部材４２とのなす角度が所定の角度となったときに、互いに接触する部分を備えており、それ以上開かないように形成されている。
【００４５】
図１５に示すように、集塵カップ２１が開かれているときは、第１枠状部材４１と第３枠状部材４３及び第３枠状部材４３と第２枠状部材４２とは、最大に開かれた状態となっており、第１枠状部材４１、第３枠状部材４３及び第２枠状部材４２とは集塵カップ２１に引っ張られて静止している。
【００４６】
図１３に示すように、集塵カップ２１を開いた状態で集塵バケット４を覆うように使い捨てフィルター２４を配置する。図１４、図１５に示すように第２枠状部材４２には、流入部４０の近傍に回動可能に支持され、使い捨てフィルター２４を固定するための固定用リング４２１が備えられており、固定用リング４２１を回転させ、使い捨てフィルター４５を固定リング４２１と第２枠状部材４２とで挟持して固定し、集塵カップ２１を閉じる。
【００４７】
図１６に示すように、集塵カップ２１はヒンジ２０を中心に蓋状部材２２の上部に覆いかぶさるように回動する。このとき、第１枠状部材４１は自重によりバケット保持部２２２に向かって移動する。第１枠状部材４１は第３枠状部材４３に対して、第１枠状部材ヒンジ４５を中心に閉じる方向に回動する。これにより、第１枠状部材４１が第３枠状部材４３を支持できなくなり、第３枠状部材４３が自重により、バケット保持部２２２に収納される。第３枠状部材４３の自重による移動によって、第２枠状部材４２が引っ張られ、第２枠状部材４２は第３枠状部材４３に対して閉じる方向に回動する。
【００４８】
このとき、第２枠状部材４２が引っ張られることで、第２回転軸４４２を介して第２枠状部材４２と連結されたリンク本体４４０が第２枠状部材４２に引っ張られて第１回転軸４４１を中心に回動する。このとき、使い捨てフィルター２４は、第１枠状部材４１、第２枠状部材４２及び第３枠状部材４３の内部と当接した状態を維持している。
【００４９】
図１７に示すように、集塵カップ２１を完全に閉じることで、第１枠状部材４１と第３枠状部材４３との突合せ部、第３枠状部材４３と第２枠状部材４２との突合せ部、第２枠状部材４２と第１枠状部材４１との突合せ部にて使い捨てフィルター２４が挟まれる。これにより、使い捨てフィルター２４は流入口４０を開いた状態で、俵型或いはキャンディー包み形状に形成される。
【００５０】
使い捨てフィルター２４は第１枠状部材４１、第２枠状部材４２、第３枠状部材４３のそれぞれ他の枠体との接合部で挟まれるので、図１８に示すように、集塵カップ２１を開いて使い捨てフィルター２４に包まれた塵埃を排出する場合、使い捨てフィルター２４は平面状に開かないので、使い捨てフィルター２４で蓄積された塵埃が分散するのを抑制することができる。
【００５１】
なお、第１枠状部材４１と第３枠状部材４３との突合せ部、第３枠状部材４３と第２枠状部材４２との突合せ部、第２枠状部材４２と第１枠状部材４１との突合せ部に紙留め用のボスとボス穴を形成して使い捨てフィルターを綴じてもかまわない。
【００５２】
上記実施形態の説明は、本発明を説明するためのものであって、特許請求の範囲に記載の発明を限定し、或は範囲を減縮する様に解すべきではない。本発明の各部構成は上記実施形態に限らず、特許請求の範囲に記載の技術的範囲内で種々の変形が可能であることは勿論である。
【産業上の利用可能性】
【００５３】
本発明は、塵埃を集めるための集塵容器が着脱可能に取り付けられる電気掃除機に採用することができる。
【図面の簡単な説明】
【００５４】
【図１】本発明にかかる電気掃除機の平面図である。
【図２】図１に示す電気掃除機から集塵部を取り出した状態の斜視図である。
【図３】本発明にかかる電気掃除機に用いられる集塵部の斜視図である。
【図４】図３に示す集塵部の正面図である。
【図５】図３に示す集塵部を開いた状態の斜視図である。
【図６】図３に示す集塵部の集塵バケットの上部に使い捨てフィルターを載せた状態の斜視図である。
【図７】図６に示す集塵部の断面図である。
【図８】カバーを閉じかけた状態の集塵部の断面図である。
【図９】カバーをさらに閉じた状態の集塵部の断面図である。
【図１０】図９に示す集塵部の斜視図である。
【図１１】集塵部に配置された使い捨てフィルターと塵埃を廃棄するときの斜視図である。
【図１２】本発明にかかる集塵部を開いた状態の斜視図である。
【図１３】図１２に示す集塵部に使い捨てフィルターを載せた状態の斜視図である。
【図１４】図１３に示す集塵部の使い捨てフィルターをずれないように固定した斜視図である。
【図１５】図１４に示す集塵部の断面図である。
【図１６】カバーを途中まで閉じたときの集塵部の断面図である。
【図１７】カバーを完全に閉じた状態の集塵部の断面図である。
【図１８】塵埃を廃棄するために開いた状態の集塵部の断面図である。
【符号の説明】
【００５５】
A  電気掃除機
１  電気送風機
２  集塵容器
２１  集塵カップ
２１０  吸入口
２１１  把持部
２１２  押え部
２２  蓋状部材
２２１  フィルター保持部
２２２  バケット保持部
２２３  凹溝
２２４  係合部
２２５  支持部
２３  集塵バケット
２３０  バケットヒンジ
２３１  第１枠状部材
２３２  第２枠状部材
２３３  枠体ヒンジ
２３４  ワイヤーばね
２４  使い捨てフィルター
３  流入口
４  集塵バケット
４０  流入部
４１  第１枠状部材
４１１  バケットヒンジ
４２  第２枠状部材
４２１  固定用リング
４３  第３枠状部材
４４  リンク部
４４０  リンク本体
４４１  第１回転軸
４４２  第２回転軸
４５  第１枠状部材ヒンジ
４６  第２枠状部材ヒンジ
【図１】
2010082220.tif 000003
【図２】
2010082220.tif 000004
【図３】
2010082220.tif 000005
【図４】
2010082220.tif 000006
【図５】
2010082220.tif 000007
【図６】
2010082220.tif 000008
【図７】
2010082220.tif 000009
【図８】
2010082220.tif 000010
【図９】
2010082220.tif 000011
【図１０】
2010082220.tif 000012
【図１１】
2010082220.tif 000013
【図１２】
2010082220.tif 000014
【図１３】
2010082220.tif 000015
【図１４】
2010082220.tif 000016
【図１５】
2010082220.tif 000017
【図１６】
2010082220.tif 000018
【図１７】
2010082220.tif 000019
【図１８】
2010082220.tif 000020